(57)【特許請求の範囲】
【請求項１】
複数の開口部を有した格子状の壁本体と、
前記複数の開口部のうち、少なくとも一部に設置される板状部材と、を備える構造壁であって、
前記壁本体は、任意の間隔で配された縦材と横材で構成される格子状部材であり、
前記板状部材には、四辺に固定部材が形成されていて、
前記格子状部材は、縦片と横片とで構成される複数の分割ピースを互いに連結することにより形成されており、
前記分割ピース同士は、隣接する該分割ピースの前記縦片同士または前記横片同士を跨ぐように配設された固定部材により連結されていることを特徴とする、構造壁。
【請求項２】
前記分割ピースは、小口面が前記格子状部材の面外方向を向くように配置された板材で構成されていることを特徴とする、請求項１に記載の構造壁。
【請求項３】
前記板状部材が、前記複数の開口部に対して市松状に配置されることを特徴とする、請求項１または請求項２に記載の構造壁。
【請求項４】
前記固定部材が、前記分割ピースとの当接面が接着剤を介して接着されることにより、該分割ピースに固定されることを特徴とする、請求項１乃至請求項３のいずれか１項に記載の構造壁。
【請求項５】
前記固定板材が、該固定板材または前記分割ピースに形成された複数の溶接孔を介して栓溶接することにより、前記分割ピースに固定されることを特徴とする、請求項１乃至請求項３のいずれか１項に記載の構造壁。
【請求項６】
前記分割ピースが、十字状、Ｔ字状またはＬ字状に形成されていることを特徴とする、請求項１乃至請求項５のいずれか１項に記載の構造壁。
【発明の詳細な説明】
【技術分野】
【０００１】
本発明は、構造物の剛性および耐力を増加させるために構築される構造壁に関する。
【背景技術】
【０００２】
例えば、耐震性が不十分であると判断された既設構造物に対する一般的な補強構造としては、柱と梁から形成される既設梁柱架構の内側空間に、現場打ち鉄筋コンクリート耐震壁や、鉄骨ブレース等を配置することにより、耐震補強を行っていた。
【０００３】
ところが、鉄筋コンクリート耐震壁は、梁柱架構の内側空間を壁体により塞いでしまうため、美観および彩光が悪化するとともに、ダクトを含めた必要な配管等を行うことができないなどの問題点を有していた。また、鉄骨ブレースによる耐震補強は、採光や配管等は可能であるものの、鉄骨の配置により意匠的な設計の自由度が制限されるという問題点を有していた。
【０００４】
そのため、特許文献１には、図１５（ａ）に示すように、美観性および採光性の向上を図ることを目的として、梁柱架構１１０の内側空間に固定された鋼板１０２と、縦横方向に整列して当該鋼板１０２に形成された開口部１０３とを有する耐震補強壁１０１が提案されている。
【０００５】
また、本出願人は、図１５（ｂ）に示すように、既存建物の梁柱架構２１０の内側空間内に分割可能な間柱２０３と中間梁２０４とのユニット２０２をボルト接合にて格子状に配置して、既存建物の耐震補強を行う耐震補強壁２０１を開示し、実用化に至っている。これにより採光性を確保するとともに、分割された部材を搬入することで既存建物への補強壁の搬入および設置を可能としている（特許文献２参照）。
【０００６】
【特許文献１】特開２００２−７０２１３号公報（［００２０］−［００３９］、図１−図１５）
【特許文献２】特開２０００−２４０２９６号公報（［０００９］−［００１３］、図１）
【発明の開示】
【発明が解決しようとする課題】
【０００７】
ところが、前記特許文献１に記載の耐震補強壁１０１は、梁柱架構１１０の内空断面と同形状の一枚の鋼板１０２に開口部１０３を設けることにより形成された格子状の部材であるため、既存建物の間取りによっては、搬入できない場合があった。また、この耐震補強壁１０１は、その重量や大きさにより、人力による施工が困難なため、施工機械を介して施工を行う必要がある。そのため、施工機械を配置することが可能なスペースを確保することが可能な建物に限定されるという、問題点も有していた。
【０００８】
一方、特許文献２に記載の発明は、分割されたユニット２０２を格子状に組み立てることで、既存建物の間取りや規模に限定されることなく、部材の搬入および設置を可能とし、採光性も確保しつつ、補強を行うことを可能としているものの、それぞれが構造材である間柱２０３や中間梁２０４を架構面内に配置するため、それぞれの部材厚が厚く、視界や美観を損ねる場合があった。また、Ｈ形鋼等により構成された各ユニット２０２（間柱２０３および中間梁２０４）は、分割されてはいるものの、重量が重く、人力による搬送や設置が困難な場合があり、施工性に影響をきたす場合があった。
【０００９】
本発明は、前記の問題点を解決するものであり、人力により簡易に施工を行うことができ、かつ、剛性および耐力等の力学的にすぐれていて、なおかつ、美観性、採光性および通風等、機能的にもすぐれている構造壁を提案することを課題とする。
【課題を解決するための手段】
【００１０】
前記の課題を解決するために、本発明の構造壁は、複数の開口部を有した格子状の壁本体と、前記複数の開口部のうち、少なくとも一部に設置される板状部材と、を備える構造壁であって、前記壁本体は、任意の間隔で配された縦材と横材で構成される格子状部材であり、前記板状部材には、四辺に固定部材が形成されていて、前記格子状部材は、縦片と横片とで構成される複数の分割ピースを互いに連結することにより形成されており、前記分割ピース同士は、隣接する該分割ピースの前記縦片同士または前記横片同士を跨ぐように配設された固定部材により連結されていることを特徴としている。
【００１１】
かかる構造壁は、壁本体が格子状に構成されていることにより、この構造壁が構築された構造物に作用する外力を適切に分散させるため、構造物の耐力や剛性が増加する。また、複数形成された格子状の壁本体の開口部のうち、所定の開口部に板状部材が配置されるため、より耐力や剛性等の力学的に優れた構造壁が構築される。また、この構造壁は、複数の開口部を有した状態で形成することが可能なため、採光性に優れているとともに配管等を可能としており、さらに、意匠的な設計の自由度にも優れている。そして、この構造壁は、複数の分割ピースを連結することにより形成されるため、各分割ピースの重量を人力による取り扱いが可能な程度（例えば、３０ｋｇ以下）に設定すれば、別途機械等を要することなく、人力により構造壁を構築することが可能となるため、例えば、既存の建物等、作業スペースの確保が困難な箇所への構造壁の構築も可能となり、好適である。さらに、この構造壁は、複数の分割ピースに細かく細分化されているため、部材の搬入ルートが限定されることがない。
【００１２】
ここで、本明細書において壁本体とは、分割ピースを連結することにより構成されて、構造壁の主材として、その強度により構造物の剛性と耐力とを高めることを目的として配置される構造材である。また、板状部材とは、所定の強度を有した板状の部材であって、構造壁の所定の開口部に適切に配置されることにより当該構造壁が配置される構造物の剛性と耐力を高めることを可能とする部材をいう。
【００１４】
また、構造壁は、壁本体（格子状部材）が縦材と横材とを格子状に組み合わせて構成されていることにより、この構造壁が構築された構造物に作用する外力を縦材および横材へと分散させるため、構造物の耐力や剛性が増加する。また、隣り合う分割ピース同士が、縦片同士または横片同士を跨ぐように配設された固定部材により連結されているため、連続した縦材および横材による格子状部材が形成されて、優れた耐力や剛性を発揮する。また、板状部材の四辺に固定部材が形成されているため、板状部材が配置される開口部に隣接する分割ピース同士は、板状部材の配置とともに連結されるため、施工性に優れている。
【００１５】
前記構造壁において、前記分割ピースは、小口面が前記格子状部材の面外方向を向くように配置された板材で構成されていてもよい。このような構成により、構造壁を正面からみると、線状の格子が形成される。このため、この構造壁は、視界を遮ることがなく、美観性に優れている。
【００１６】
また、前記構造壁において、前記板状部材が、前記複数の開口部に対して市松状に配置されていれば、別途固定部材を要することなく分割ピースを連結するとともに、板状部材が構造壁に斜め方向に連続して配置されるため、トラス状の抵抗機構が形成されて、力学的に有利な構造となる。そのため、地震時や強風時等の水平耐力を増強することが可能となる。
【００１７】
また、前記構造壁において、前記固定部材を、前記分割ピースとの当接面を接着剤により接着することで、該分割ピースに固定すれば、作業が容易で、早期施工が可能となる。また、供用中の建物への構造壁の設置工事であって、火気設備等が使用できない場合であっても、構造壁の構築が可能となる。また、ナットやボルトの頭等の突出部がないため、意匠設計上でも優れている。なお、接着剤としては、例えば、エポキシ系やアクリル系等、金属の接着に適した公知の接着剤の中から適宜選定して、使用すればよい。
【００１８】
また、前記構造壁において、前記固定板材が、該固定板材または前記分割ピースに形成された複数の溶接孔を介して栓溶接することにより、前記分割ピースに固定されていてもよい。つまり、当該接合部に期待されるせん断力に応じて形成された数および形状の溶接孔について栓溶接することで固定するため、固定板材全周囲について溶接する通常の溶接に比べて容易に構造壁を構築することが可能となるため、好適である。
【００１９】
また、前記構造壁において、前記分割ピースが、十字状、Ｔ字状またはＬ字状に形成されていれば、各分割ピースの形状が小さく、軽量なため、取り扱いが容易で、作業の効率化が可能となる。
【発明の効果】
【００２３】
本発明によれば、人力により簡易に施工を行うことができ、かつ、剛性および耐力等の力学的にすぐれていて、なおかつ、美観性、採光性および通風等、機能的にもすぐれている構造壁を提供することが可能となった。
【発明を実施するための最良の形態】
【００２４】
本発明の好適な実施の形態について、図面を参照して説明する。なお、説明において、同一要素には同一の符号を用い、重複する説明は省略する。
【００２５】
＜第１の実施の形態＞
図１は第１の実施の形態に係る構造壁を示す正面図である。図２（ａ）〜（ｃ）は、第１の実施の形態に係る構造壁の各分割ピースを示す斜視図である。図３は、第１の実施の形態に係る構造壁の板状部材を示す斜視図である。図４は、第１の実施の形態に係る分割ピースの連結構造を示す図であって、（ａ）は正面図、（ｂ）は断面図である。また、図５（ａ）〜（ｄ）は、第１の実施の形態に係る構造壁の構築方法を示す図である。
【００２６】
第１の実施の形態に係る構造壁１は、図１に示すように、左右に立設された柱２，２とこれらの柱２，２に横設されている上下の梁３，４とにより形成された梁柱架構５の内側空間に配設されている。
【００２７】
構造壁１は、任意の間隔により配された縦材と横材とを組み合わせることにより複数の開口部１４，１４，…を有して形成された格子状部材１０と、格子状部材１０に形成された少なくとも一部の開口部１４を閉塞するように配置される板状部材２０とから構成されている。そして、格子状部材１０と梁柱架構５とは、その隙間に充填されたグラウト材４０により一体に固定されている。ここで、第１の実施の形態では、開口部１４，１４，…が、同一寸法の正方形に形成されているが、長方形に形成されていてもよく、また、位置に応じて異なる寸法に形成されていてもよい。
【００２８】
構造壁１は、図１に示すように、縦４段、横９列の開口部１４を有した格子状部材１０と、格子状部材１０の開口部１４を一つおきに閉塞し、市松状に配置された複数枚（第１の実施の形態では１８枚）の板状部材２０とから構成されている。なお、格子状部材１０の開口部の縦横の段数や列数は限定されないことはいうまでもない。また、板状部材２０の配置ピッチや枚数等も限定されるものではなく、必要とされる構造壁の強度や格子状部材１０の形状等に応じて、適宜設定すればよい。
【００２９】
格子状部材１０は、縦片１２と横片１３とを組み合わせることにより構成された複数の分割ピース１１を互いに連結することにより形成されている。つまり、格子状部材１０の縦材は、連結された分割ピース１１同士の縦片１２，１２，…であって、格子状部材１０の横材は、連結された分割ピース１１同士の横片１３，１３…である。そして、分割ピース１１同士の連結は、板状部材２０の四辺に形成されて、隣接する分割ピース１１，１１の縦片１２同士または横片１３同士を跨ぐように配設された固定板材（固定部材）２１により行われている（図４（ａ）参照）。
【００３０】
第１の実施の形態では、分割ピース１１として、縦片１２と横片１３とが交差する交点を１箇所含み、略十字状に組み合わされた十字状ピース１１ａ（図２（ａ）参照）と、縦片１２と横片１３とを直角を成す交点を１箇所含み、略Ｌ字状を呈するＬ字状ピース１１ｂ（図２（ｂ）参照）と、縦片１２また横片１３の中央に横片１３または縦片１２を接合する交点を１箇所含み、略Ｔ字状を呈するＴ字ピース１１ｃ（図２（ｃ）参照）を使用する。
【００３１】
各分割ピース１１を構成する縦片１２および横片１３は、図１および図２に示すように、小口面が構造壁１（格子状部材１０）の面外方向を向くように配置された鋼製の板材からなる。なお、板材の厚みや幅等の形状寸法は限定されるものではないが、第１の実施の形態では、板厚が１６ｍｍ、幅が２００ｍｍのものを使用する。そして、第１の実施の形態に係る各分割ピース１１は、開口部１４が略４００×４００ｍｍの正方形となるように、交点から縦片１２または横片１３の先端までの長さが１９５ｍｍに構成されている。これにより分割ピース１１は２０ｋｇ以下に構成されている。なお、分割ピース１１を構成する材料や形状寸法等は前記のものに限定されるものではなく、人力により取り扱いが可能な程度の形状および重量となるように、適宜設定すればよい。
ここで、分割ピース１１は、板材を溶接等により一体に接合することにより構成してもいいし、また、鋳物により構成してもよい。
【００３２】
板状部材２０は、図３に示すように、略正方形に形成されており、この正方形の四辺には、固定部材として、長方形状のフランジ（固定板材２１）が形成されている。また、板状部材２０の各角部は、切り欠かれていて、図４（ａ）に示すように、板状部材２０を格子状部材１０の開口部１４に設置した状態で略５角形状の開口が形成されるような、欠損部２２が形成される。ここで、第１の実施の形態では、固定部材として、板状の固定板材２１を形成するものとしたが、固定部材の形状は限定されるものではなく、適宜任意の形状に形成することが可能である。
【００３３】
第１の実施の形態に係る板状部材２０は、板厚が９ｍｍの低降伏点鋼材（ＬＹＰ）からなり、この四辺に、フランジ部である板厚が１６ｍｍの固定板材２１を一体に接合することにより構成されている。これにより、板状部材２０は、全体として重量が２７ｋｇに構成されており、人力による取り扱いが可能である。なお、板状部材２０を構成する材料や形状寸法等は前記のものに限定されるものではなく、人力により取り扱いが可能な程度の形状および重量となるように、適宜設定すればよい。例えば、板厚が薄い普通鋼材により同形状の板状部材２０を構成してもよい。また、第１の実施の形態では、板状部材２０に欠損部２２を形成するものとしたが、欠損部２２は必ずしも形成される必要はない。また、第１の実施の形態では、板状部材２０の周縁に固定板材２１，２１，…を固定するものとしたが、鋳物により板状部材２０の周縁にフランジ部（固定板材２１，２１，…）が予め形成されていてもよく、板状部材２０の形成方法は限定されるものではない。また、固定板材２１の板状部材２０への固定方法は、例えば溶接により固定するなど、適宜公知の手段により行えばよい。
【００３４】
分割ピース１１，１１の連結は、図４（ａ）および（ｂ）に示すように、隣接する分割ピース１１の縦片１２同士または横片１３同士を跨ぐように固定板材２１を配設し、縦片１２または横片１３と固定板材２１との当接面全体について接着剤３０を介して接着（全面接着）することで行う。
分割ピース１１と固定板材２１との接着に使用する接着剤は、鋼製部材同士の接着性に優れており、構造壁１に作用することが想定される外力によりはく離することやせん断破壊することがないものであれば限定されないが、本実施形態では、エポキシ系接着剤またはアクリル系接着剤を使用する。また、分割ピース１１，１１と固定板材２１との接着は、必ずしも全面接着する必要はなく、分割ピース１１同士の連結に必要な強度を発現することが可能であれば、部分的な接着でもよいことはいうまでもない。
【００３５】
なお、本実施形態では、分割ピース１１同士の間に、隙間が形成されているが、分割ピース１１同士の隙間の有無は限定されるものではない。
【００３６】
次に、図５（ａ）〜（ｄ）を参照して、本実施形態に係る構造壁１の構築方法について、説明する。
【００３７】
構造壁１の構築は、図５（ａ）に示すように、まず、梁柱架構５の内側空間であって、構造壁１の下端に対応する箇所に、グラウト材４０を敷設する。そして、グラウト材４０の上面に、最下段の分割ピース１１（Ｌ字状ピース１１ｂおよびＴ字状ピース１１ｃ）を配設する。
【００３８】
次に、最下段の板状部材２０を配置し、固定部材２１の分割ピース１１との当接面を接着剤３０により分割ピース１１に全面接着する（図５（ｂ）参照）。
【００３９】
最下段の板状部材２０を配設したら、図５（ｃ）に示すように、２段目の分割ピース１１（十字状ピース１１ａおよびＴ字状ピース１１ｃ）を配置する。この時、新たに配置された分割ピース１１と既存の板状部材２０とを、接着しながら行う。２段目の分割ピース１１の配置が完了したら、２段目の板状部材２０，２０，…を２段目の分割ピース１１に接着しつつ配設する。
【００４０】
同様に、分割ピース１１および板状部材２０を下から順に配設することにより、格子状部材１０を完成させる。そして、格子状部材１０が完成したら、格子状部材１０の上面および側面と、梁柱架構５との間にグラウト材４０を充填する（図５（ｄ）参照）。なお、グラウト材４０は、適宜公知のグラウト材の中から選定して使用すればよく、限定されるものではないが、本実施形態では、構造壁１の側面および下端に対応する箇所には通常モルタル４１を使用し、構造壁１の上端に対応する箇所には無収縮モルタル４２を使用する。構造壁１の上端の梁柱架構５との接合部に無収縮モルタル４２を使用することにより、グラウト材４０の収縮により隙間が形成されることを防止している。
【００４１】
以上、第１の実施の形態に係る構造壁１によれば、格子状部材１０が、それぞれ人力による取り扱いが可能な重量および形状となるように分割された分割ピース１１，１１，…により構成されているため、既存の建物等、搬入ルートとして限られた空間しか確保することができないような場合でも、部材を搬入することができるため、設置箇所に限定されることなく、あらゆる構造物の耐力や剛性の増強を図ることができる。
【００４２】
また、分割ピース１１に加え、板状部材２０も、人力による取り扱いが可能な重量および形状に形成されているため、人力のみにより構造壁１を容易に構築することができ、施工性に優れている。また、従来、構造壁の構築に必要としていた、各種建設機械や設備を省略することができるため、費用も大幅に削減することが可能となる。
【００４３】
構造壁１は、適切な位置に配置された板状部材２０と格子状部材１０とにより構成されているため、従来の耐震壁やブレース材等と同様に、地震時や強風時に構造壁１が配置された構造物に作用する応力に対して、十分な耐力や剛性を有する構造物を構築することができる。また、板状部材２０として、低降伏点鋼材を使用しているため、板状部材２０が構造壁１に作用する外力を吸収し、構造物の耐力が増強される。
【００４４】
第１の実施の形態に係る板状部材２０は、四隅が切り欠かれて欠損部２２が形成されているため、構造壁１に応力が作用した際に、応力および歪が一点（板状部材２０の角）に集中することがなく、格子状部材１０（縦片１２または横片１３）に分散されるため、エネルギーを効果的に吸収することを可能としている。
【００４５】
また、板状部材２０の配置により、採光や通風、または、美観性のデザインを自由に設計することができるため、好適である。
また、板状部材２０として、ガラス繊維強化プラスチック、グレーチング、パンチングメタル等の材質の板材を使用すれば、デザインの自由度が増し、好適である。
【００４６】
＜第２の実施の形態＞
次に、第２の実施の形態に付いて、図６を参照して説明する。ここで、図６は、第２の実施の形態に係る分割ピースの連結構造を示す図であって、（ａ）は正面図、（ｂ）は断面図である。
【００４７】
第２の実施の形態に係る構造壁１は、板状部材２０を栓溶接により分割ピース１１と接合する点で、分割ピース１１と板状部材２０（固定板材２１）との接合を、接着剤３０により行う第１の実施の形態と異なっている。
【００４８】
図６の（ａ）に示すように、板状部材２０の固定板材２１と分割ピース１１’を挟んで対向する箇所には、板状部材２０の分割ピース１１’への接合時の受材として、固定板材１５が配置されている。
【００４９】
第２の実施の形態に係る分割ピース１１’の縦片１２および横片１３（図２参照）には、図６（ａ）および（ｂ）に示すように、板状部材２０の四辺に対応する箇所に、それぞれ溶接孔１１ｈ，１１ｈ，…が所定の間隔により複数個（本実施形態では各縦片１２または横片１３につき４箇所ずつ）形成されている。
【００５０】
分割ピース１１’の板状部材２０が設置されない開口部１４側の面には、固定板材１５（１５’）が配置されている。そして、板状部材２０の上面および左右のいずれか一方（本実施形態では図６（ａ）において右側）に対応する箇所に配置された固定板材１５’には、分割ピース１１’の溶接孔１１ｈ，１１ｈ，…に対応して、溶接孔１５ｈ，１５ｈ，…が形成されている。なお、固定板材１５（１５’）の形状寸法は限定されるものではないが、本実施形態では板状部材２０の四辺に形成された固定板材２１と同形状の鋼板により構成する。また、固定板材１５（１５’）は、必要に応じて配置すればよく、必ずしも配置されるものではない。
【００５１】
また、第２の実施の形態に係る板状部材２０には、図６（ａ）および（ｂ）に示すように、左右のいずれか一方（本実施形態では図６（ａ）において左側）および下端に形成された固定板材２１’が、分割ピース１１’の溶接孔１１ｈ，１１ｈ，…に対応して溶接孔２１ｈ，２１ｈ，…が複数箇所（本実施形態ではそれぞれ８箇所）形成されている。これに対し、板状部材２０の左右の他方（図６（ａ）において右側）および上端に形成された固定板材２１には、溶接孔２１ｈは形成されていない。なお、溶接孔２１ｈが形成されていない固定板材２１の分割ピース１１’を挟んで対向する箇所に配置される各固定板材１５’には、溶接孔１５ｈが分割ピース１１’に形成された溶接孔１１ｈに対応して形成されている。
【００５２】
第２の実施の形態における分割ピース１１’同士の連結は、分割ピース１１’，１１’，…により形成された開口部に１４に板状部材２０を配置した後、溶接孔１１ｈおよび２１ｈまたは溶接孔１１ｈおよび１５ｈを利用して、分割ピース１１’と固定板材２１’とを溶接接合（栓溶接）する。
【００５３】
なお、栓溶接は、上方から下向き、あるいは、側方から横向きに行うものとする。つまり、板状部材２０の上部および一方の側部（図６（ａ）における右側）の接合は、板状部材２０が配設された開口部１４に隣接する開口部１４，１４から、固定板材１５’に形成された溶接孔１５ｈおよび分割ピース１１’に形成された溶接孔１１ｈから栓溶接を行うことにより、分割ピース１１’と固定板材１５’，２１とを接合する。また、板状部材２０の下部および他方の側部（図６（ａ）における左側）の接合は、板状部材２０の固定板材２１’ に形成された溶接孔２１ｈおよび分割ピース１１’に形成された溶接孔１１ｈから栓溶接を行うことにより分割ピース１１’と固定板材１５，２１’とを接合する。
【００５４】
ここで、溶接孔１１ｈ，１５ｈ，２１ｈの形状、数、配置等は限定されるものではなく、格子状部材１０と板状部材２０との接合に必要なせん断力等により適宜設定すればよい。また、栓溶接に使用する設備機器等も限定されるものではなく、適宜公知のものから選定して使用すればよい。
この他、第２の実施の形態に係る構造壁１の構成および構築方法は、第１の実施の形態で示したものと同様なため、詳細な説明は省略する。
【００５５】
第２の実施の形態に係る構造壁１によれば、格子状部材１０と板状部材２０と固定板材１５とが、栓溶接により強固に固定されているため、接着剤３０のはく離強さまたはせん断強さ以上の負荷が構造壁１に作用しても、構造壁１に破損が生じることがなく、構造物の耐力、剛性を増強させることが可能となる。
【００５６】
また、第２の実施の形態に係る構造壁１は、溶接孔１１ｈ，１５ｈおよび２１ｈを利用して、部分的に溶接するのみで固定されるため、固定板材２１の周囲を全体的に溶接する場合に比べて作業を大幅に省略することができ、好適である。
また、構造壁１は、格子状部材１０の開口部１４に、板状部材２０または固定板材１５が配置されているため、強度が高く、構造物の耐力や剛性の増強することを可能としている。
【００５７】
この他、第２の実施の形態に係る構造壁１の作用効果は、第１の実施の形態で示した内容と同様なため、詳細な説明は省略する。
【００５８】
＜第３の実施の形態＞
次に、第３の実施の形態に付いて、図７を参照して説明する。ここで、図７は、第３の実施の形態に係る構造壁と梁柱架構との接合部を示す部分断面図である。
【００５９】
第３の実施の形態に係る構造壁１は、図７に示すように、アンカー工法により構造壁１と梁柱架構５とを接合する点で、グラウト材の充填により行う第１の実施の形態と異なっている。
【００６０】
図７に示すように、第３の実施の形態に係る構造壁１の梁柱架構５への接合構造４２は、格子状部材１０の外周囲に所定の間隔により梁柱架構５方向に突出するように形成されたスタッド１６，１６と、梁柱架構５の左右の柱２，２および上下の梁３，４（図１参照）から格子状部材１０側に突出するように突設された複数本のアンカー４３，４３と、格子状部材１０と梁柱架構５との間に形成された隙間を遮蔽するように打設される鉄筋コンクリート４４と、により構成されている。
【００６１】
第３の実施の形態では、接合構造４２において、梁柱架構５と格子状部材１０との隙間において、主筋４５とスパイラル筋４６とを配筋して、鉄筋コンクリート構造としている。なお、図７における符号４７は、腹鉄筋である。
【００６２】
アンカー４３は、梁３（または柱２、梁４）の主筋５ａを避けて梁３（または柱２、梁４）に配置されており、鉄筋コンクリート４４と梁柱架構５との一体化を可能としている。また、スタッド１６は、格子状部材１０を構成する各分割ピース１１に一体に固定されており、格子状部材１０と鉄筋コンクリート４４との一体化を行う。
【００６３】
以上のように、格子状部材１０と梁柱架構５との接合を行うことにより、力の伝達性がより優れていて、より強固に接合する接合構造４２が構成される。
【００６４】
この他、第３の実施の形態に係る構造壁１の構成や作用効果等は、第１の実施の形態で示したものと同様なため、詳細な説明は省略する。
【００６５】
＜第４の実施の形態＞
次に、第４の実施の形態に付いて、図８を参照して説明する。ここで、図８は、第４の実施の形態に係る構造壁を示す図であって、（ａ）は構造壁の一部を示す正面図、（ｂ）から（ｅ）は分割ピースの形状を示す正面図である。
【００６６】
第４の実施の形態に係る構造壁１’は、図８に示すように、板状部材２０，２０，…が、縦方向に連続して配置されている点で、第１の実施の形態に係る構造壁１と異なっている。
【００６７】
第４の実施の形態に係る構造壁１’は、図８（ａ）に示すように、構造物の鉛直方向の耐力の増強を目的として、格子状部材１０の開口部１４について、一列おきに縦方向に連続した板状部材２０，２０，…が配置されている。
【００６８】
このため、第４の実施の形態に係る各分割ピース１１は、図８（ｂ）〜（ｅ）に示すように、それぞれが縦片１２と横片１３との交点が２箇所ずつ含まれるように構成されており、Ｔ字が左右に連結するような形状の分割ピース１１ｄ（図８（ｂ）参照）、十字が連結された形状の分割ピース１１ｅ（図８（ｃ）参照）、Ｔ字と十字とが連結されたような形状の分割ピース１１ｆ（図８（ｄ）参照）、略Ｆ字を呈する分割ピース１１ｇ（図８（ｅ）参照）により構成されている。
【００６９】
なお、各分割ピースの連結方法は、第１の実施の形態で示した内容と同様に、板状部材２０を介して行うものとし、詳細な説明は省略する。
【００７０】
第４の実施の形態に係る構造壁１’によれば、格子状部材１０の縦の段数（図８（ａ）では４段）と同数の板状部材２０，２０，…（図８（ａ）では４枚）を、縦方向に連続して配置されているため、柱２と柱２（図１参照）との間に間柱を配置するのと同等の効果を得ることが可能となる。
【００７１】
なお、第４の実施の形態では、分割ピース１１部材として縦片１２と横片１３との交点を２箇所含む部材を使用するものとしたが、第１の実施の形態で示した分割ピース１１のように、縦片１２と横片１３との交点が１箇所のみの分割ピースを組み合わせることにより構成してもよいことはいうまでもない。
【００７２】
＜第５の実施の形態（参考実施形態）＞
図９は、参考実施形態である第５の実施の形態に係る構造壁を示す図であって、（ａ）は正面図、（ｂ）は断面図である。図１０は、第５の実施の形態に係る分割ピースの構成を示す斜視図である。図１１（ａ）〜（ｄ）は、第１の実施の形態に係る構造壁の各分割ピースを示す展開図である。図１２は、第５の実施の形態に係る構造壁の変形例を示す図であって、（ａ）は正面図、（ｂ）は断面図である。図１３（ａ）および（ｂ）は、第５の実施の形態に係る構造壁の他の変形例を示す正面図である。
【００７３】
第５の実施の形態に係る構造壁６は、図９（ａ）および（ｂ）に示すように、左右に立設された柱２，２とこれらの柱２，２に横設されている上下の梁３，４とにより形成された梁柱架構５の内側空間に配設されている。なお、図中の符号３ａおよび４ａは、上下の床スラブである。
【００７４】
構造壁６は、任意の間隔により配された縦材と横材とを組み合わせることにより複数の開口部６３，６３，…を有して格子状に形成された壁本体である格子状部材６０と、格子状部材６０に形成された少なくとも一部の開口部６３を閉塞するように配置される板状部材７０とから構成されている。そして、格子状部材６０と梁柱架構５とは、その隙間に充填されたグラウト材４０により一体に固定されている。ここで、第５の実施の形態では、開口部６３，６３，…が、同一寸法の正方形に形成されているが、長方形に形成されていてもよく、また、位置に応じて異なる寸法に形成されていてもよい。
【００７５】
構造壁６は、図９（ａ）に示すように、縦４段、横７列の開口部６３を有した格子状部材６０と、格子状部材６０の開口部６３を一つおきに閉塞し、市松状に配置された複数枚（第５の実施の形態では１４枚）の板状部材７０とから構成されている。なお、格子状部材６０の開口部の縦横の段数や列数は限定されないことはいうまでもない。また、板状部材７０の配置ピッチや枚数等も限定されるものではなく、必要とされる構造壁６の強度や格子状部材６０の形状等に応じて、適宜設定すればよい。
【００７６】
格子状部材６０は、図９および図１０に示すように、複数の分割ピース６１，６１，…を、上下左右に連続するように積み重ねた状態で、隣り合う分割ピース６１同士の重なり合った辺を、高力ボルト６５を介して連結することにより形成されている。
【００７７】
本実施形態に係る分割ピース６１は、図１０に示すように、断面略正方形の角形筒状部材６２により構成されている。筒状部材６２は、断面正方形の鋼管を、所定の長さで切断することにより構成されており、構造壁６は、この筒状部材６２の開口面が構造壁６の前後方向に向くように連結することにより構成されている。ここで、筒状部材６２の部材厚、形状幅等は限定されるものではなく、構造壁６の形状寸法や構造壁６に作用する応力等に応じて適宜設定すればよい。また、筒状部材６２の製造は、角形鋼管を切断する方法に限定されるものではなく、プレス成形や溶接組立て等、適宜公知の手段により行ってもよい。
【００７８】
筒状部材６２には、図１０に示すように、隣接する他の分割ピース６１（筒状部材６２）と当接する側の辺に、高力ボルト６５を挿通するためのボルト孔６６が、６個形成されている。なお、ボルト孔６６の数や形状は限定されるものではなく、高力ボルト６５の寸法や本数等応じて適宜設定すればよい。また、分割ピース６１同士の連結は、高力ボルト６５によるものに限定されないことはいうまでもなく、適宜公知の方法から選定して行えばよい。さらに、高力ボルト６５の本数は、限定されるものではなく、高力ボルト６５の強度と構造壁６に作用する応力等から適宜設定すればよい。
【００７９】
分割ピース６１には、図１１（ａ）に示すように、筒状部材６２の内空に何も配置されておらず、開口部６３が開口された分割ピース６１ａと、図１１（ｂ）に示すように、筒状部材６２の内空が、板状部材７０により閉塞された分割ピース６１ｂとがある。本実施形態に係る構造壁６は、板状部材７０が配置されていない分割ピース６１ａと、板状部材７０が配置された分割ピース６１ｂとを交互に配置することにより、市松状に構成されている（図９（ａ）参照）。
【００８０】
板状部材７０は、筒状部材６２の内空断面と同形状の鋼板であって、筒状部材６２の内面の長さ方向（図９（ｂ）において左右方向）の略中央に全周囲が溶接接合されている。
なお、板状部材７０の固定方法は溶接によるものに限定されるものではなく、適宜公知の方法により行えばよい。また、板状部材７０を構成する材料や板厚等は適宜設定すればよく、限定されるものではないが、本実施形態では、板厚が９ｍｍの低降伏点鋼材（ＬＹＰ）を使用するものとする。
【００８１】
また、構造壁６の側部（梁柱架構５に当接する位置）に配置される分割ピース６１ｃには、図１０および図１１（ｃ）に示すように、梁柱架構５側の辺（面）に６本のスタッド６４，６４，…が、突設されている。また、構造壁６の角部に配置される分割ピース６１ｄには、図１０および図１１（ｄ）に示すように、柱２と梁３，４側の辺（面）にそれぞれ６本のスタッド６４，６４，…が突設されている。ここで、スタッド６４の本数は限定されるものではなく、スタッド６４の形状や構造壁６に作用する応力等により適宜設定すればよい。
【００８２】
分割ピース６１，６１の連結は、図１０に示すように、分割ピース６１を所定の箇所に配置した後、隣り合う分割ピース６１，６１に形成されたボルト孔６６，６６に高力ボルト６５を挿通し、締め付けることにより行う。
【００８３】
構造壁６と梁柱架構５との接合は、格子状部材６０と梁柱架構５との間の隙間にグラウト材４０を充填することにより行う。なお、格子状部材６０の周縁には、スタッド６４，６４，…が突設されているため、接合性に優れている。なお、構造壁６と梁柱架構５との接合方法は、前記の方法に限定されるものではなく、例えば、第３の実施の形態で説明した方法と同様に、アンカー工法により行ってもよい。
【００８４】
以上、第５の実施の形態に係る構造壁６によれば、格子状部材６０が、それぞれ人力による取り扱いが可能な重量および形状となるように分割された分割ピース６１，６１，…により構成されているため、既存の建物等、搬入ルートとして限られた空間しか確保することができないような場合でも、部材を搬入することができるため、設置箇所に限定されることなく、あらゆる構造物の耐力や剛性の増強を図ることができる。
【００８５】
また、分割ピース６１に加え、板状部材７０も、人力による取り扱いが可能な重量および形状に形成されているため、人力のみにより構造壁６を容易に構築することができ、施工性に優れている。また、従来、構造壁の構築に必要としていた、各種建設機械や設備を省略することができるため、費用も大幅に削減することが可能となる。
【００８６】
また、格子状部材６０を構成する分割ピース６１が、角形鋼管を一定の長さで切断することにより製作されるため、同一形状で同品質のものを安価に形成することができる。
また、各筒状部材６２は、同形状に形成されるため、縦横に積み重ねた際に分割ピース同士の間に隙間ができにくい。なお、角形鋼管の製作制度が悪く、隣り合う直交面が真に直角でない場合は、隣接する筒状部材６２の上下左右を交互に反転させることにより隙間が形成されること無く、積み上げることが可能となる。
【００８７】
また、分割ピース６１同士は、高力ボルト６５を介して接合されるため、現場溶接が不要であり、火気の使用が制限されるような既設構造物においても容易に構造壁６の構築を行うことできる。また、溶接に必要な設備等を省略することが可能なため、作業スペースが限られるような場合でも施工が可能である。
また、板状部材７０を予め分割ピース６１に接合しておくことにより、現場での接合の手間を省くとともに、現場溶接が不要となり火気の使用が制限されるような既設構造物において容易に構造壁６の構築を行うことできる。
【００８８】
また、板状部材７０として低降伏点鋼を使用しているため、板状部材７０が構造壁６に作用する外力を吸収し、履歴ダンパーとしての機能を発揮する。
構造壁６は、板状部材７０が配置された分割ピース６１ｂと配置されていない分割ピース６１ａとを交互に市松状に配置しているため、板状部材７０によるトラス機構が形成されることにより、耐震壁としての力学的性能が確保されている。
【００８９】
構造壁６は、適切な位置に配置された板状部材７０と格子状部材６０とにより構成されているため、従来の耐震壁やブレース材等と同様に、地震時や強風時に構造壁６が配置された構造物に作用する応力に対して、十分な耐力や剛性を有する構造物を構築することができる。
【００９０】
構造壁６は、アンカーレス工法により梁柱架構５に接合されているため、既設の梁柱架構５へのアンカー設置等、工事に伴う騒音や振動を低減することを可能としている。
【００９１】
また、板状部材７０の配置により、採光や通風、または、美観性のデザインを自由に設計することができるため、好適である。また、この構造壁６を飾り棚として使用したり、照明器具をはめ込むことも可能である。
また、板状部材７０として、ガラス繊維強化プラスチック、グレーチング、パンチングメタル等の材質の板材を使用すれば、デザインの自由度が増し、好適である。
【００９２】
なお、第５の実施の形態では、板状部材７０が市松状に配置される構成としたが、図１２（ａ）および（ｂ）に示す構造壁６ａのように、格子状部材６１の開口部６３の全てに板状部材７０を配置する構成としてもよい。この構造壁６ａによれば、従来の鉄筋コンクリート壁に比べて、施工性に優れているとともに、養生期間がなく、短期間で施工を行うことが可能となる。また、乾式での施工が可能なため、現場を汚すことがない。また、従来の鋼板壁や鉄骨ブレース等と比較しても、人力による搬送が可能な分割ピース６１を搬入して、組み立てることにより施工を行えるため、クレーン等の施工機械を必要とせず、作業スペースが制限された既設構造物内への施工も可能である点で優れている。
また、このような梁柱架構５の内空面を閉塞する構造壁６ａを構築する場合において、一部、配管やダクト等のための開口が必要な場合があっても、その箇所の分割ピース６１を、板状部材７０が設置されていない分割ピース６１ａに変更するのみで、容易に開口部６３を形成することを可能としている。
【００９３】
また、図１３（ａ）に示すように、分割ピース６１の配置により、窓開口６７が形成された構造壁６ｂの構築が可能である。なお、構造壁６ａにおける窓開口６７の数や形状寸法は、限定されるものではない。
さらに、図１３（ｂ）に示すように、掃きだし開口を設けて、門型に配置することで、出入口６８が形成された構造壁６ｃの構築も可能である。なお、構造壁６ｂにおける出入口６８の数や形状寸法は限定されるものではない。
【００９４】
以上、本発明について、好適な実施形態の一例を説明した。しかし、本発明は、前記実施形態に限られず、前記の各構成要素については、本発明の趣旨を逸脱しない範囲で、適宜設計変更が可能である。
例えば、前記各実施形態では、格子状部材を板材により構成するものとしたが、格子状部材を構成する材料は限定されるものではなく、各分割ピースの重量が、人力により取り扱いが可能な程度に形成されるのであれば、例えば、Ｈ形鋼や溝形鋼等、適宜公知の材料から適宜選定して、使用すればよい。
【００９５】
また、前記各実施形態では、本発明の構造壁を梁柱架構の内側空間に配置するものとしたが、構造壁の設置箇所は限定されるものではなく、天井スラブ、床スラブ、壁等、その他の躯体により構成された空間に配置してもよい。
【００９６】
また、本発明の構造壁は、外壁として構造物の外側に配置してもよく、その設置箇所は、構造物の内外を問わない。
【００９７】
また、板状部材の格子状部材への取り付け方法は、力の伝達が可能であれば、接着剤や栓溶接による方法に限定されるものではなく、例えば、ボルトとナットによる締着や通常の溶接等、適宜公知の方法から選定して行えばよい。
【００９８】
また、板状部材の配置は、前記のものに限定されるものではなく、構造壁の目的、必要とされる耐力、景観等を考慮して、適宜設定すればよく、例えば、Ｖ字状、横Ｖ字状、Ｘ字状、ブレース状等に配置することで、外力に対する耐力を増強するとともに、個性的な景観を付与する構成としてもよい。
また、構造壁の耐力や剛性の増強を目的として、板状部材にリブを形成してもよい。
【００９９】
また、構造材としての板状部材により閉塞されている開口部以外の開口部に、風雨の浸入を防ぐことや構造壁の美観性を高めること等を目的として、ガラス製やプラスチック製等の非構造材を配置してもよいことはいうまでもない。
板状部材は、鋼板に限定されるものではなく、例えば、ガラス繊維強化プラスチック、グレーチング、パンチングメタル等が使用可能である。また、板状部材３の形状は正方形に限定されるものではなく、開口部５の形状に応じて適宜設定されることはいうまでもない。
【０１００】
格子状部材の梁柱架構への取り付けは、格子状部材の外周囲と梁柱架構との隙間にモルタル等のグラウトの充填や、アンカー工法等に限定されるものではなく、例えば摩擦工法など、適宜公知の方法の中から選定して行うことができる。
また、板状部材により閉塞されている開口部以外の開口部に、縦片または横片に沿ってリブを形成することにより、格子状部材の耐力や剛性の増強を行ってもよい。
【０１０１】
また、前記第５の実施の形態では、各分割ピース６１を構成する筒状部材６２の形状の形状が断面略正方形の場合について説明したが、筒状部材６２の断面形状は限定されるものではなく、その他の多角形でもよい。例えば、図１４（ａ）に示す構造壁６ｄのように、断面八角形の筒状部材６２’により格子状部材（壁本体）６０’を構成してもよい。また、図１４（ｂ）に示す構造壁６ｅのように、断面六角形の筒状部材６２”により格子状部材（壁本体）６０”を構成してもよい。なお、この場合において、各分割ピース６１’，６１”の内空に配置される板状部材７０’，７０”は、筒状部材６２’，６２”の内空形状に応じて形成されることはいうまでもない。
【図面の簡単な説明】
【０１０２】
【図１】本実施の形態に係る構造壁を示す正面図である。
【図２】（ａ）〜（ｃ）は、本実施形態に係る構造壁の各分割ピースを示す斜視図である。
【図３】本実施形態に係る構造壁の板状部材を示す斜視図である。
【図４】本実施形態に係る分割ピースの連結構造を示す図であって、（ａ）は正面図、（ｂ）は断面図である。
【図５】（ａ）〜（ｄ）は、本実施形態に係る構造壁の構築方法を示す図である。
【図６】第２の実施の形態に係る分割ピースの連結構造を示す図であって、（ａ）は正面図、（ｂ）は断面図である。
【図７】第３の実施の形態に係る構造壁と梁柱架構との接合部を示す部分断面図である。
【図８】第４の実施の形態に係る構造壁を示す図であって、（ａ）は構造壁の一部を示す正面図、（ｂ）から（ｅ）は分割ピースの形状を示す正面図である。
【図９】第５の実施の形態に係る構造壁を示す図であって、（ａ）は正面図、（ｂ）は断面図である。
【図１０】第５の実施の形態に係る分割ピースの構成を示す斜視図である。
【図１１】（ａ）〜（ｄ）は、第１の実施の形態に係る構造壁の各分割ピースを示す展開図である。
【図１２】第５の実施の形態に係る構造壁の変形例を示す図であって、（ａ）は正面図、（ｂ）は断面図である。
【図１３】（ａ）および（ｂ）は、第５の実施の形態に係る構造壁の他の変形例を示す正面図である。
【図１４】（ａ）および（ｂ）は、第５の実施の形態に係る構造壁のその他の変形例を示す正面図である。
【図１５】（ａ）、（ｂ）ともに従来の構造壁を示す正面図である。
【符号の説明】
【０１０３】
１，１’  構造壁
１０    格子状部材
１１    分割ピース
１１ａ  十字状ピース
１１ｂ  Ｌ字状ピース
１１ｃ  Ｔ字状ピース
１２    縦片
１３    横片
１４    開口部
２０    板状部材
２１    固定板材（固定部材）
５      梁柱架構
６，６ａ，６ｂ，６ｃ，６ｄ，６ｅ  構造壁
６０    格子状部材（壁本体）
６１    分割ピース
６２    筒状部材
６３    開口部
７０    板状部材
【図１】
0004590373.tif 000002
【図２】
0004590373.tif 000003
【図３】
0004590373.tif 000004
【図４】
0004590373.tif 000005
【図５】
0004590373.tif 000006
【図６】
0004590373.tif 000007
【図７】
0004590373.tif 000008
【図８】
0004590373.tif 000009
【図９】
0004590373.tif 000010
【図１０】
0004590373.tif 000011
【図１１】
0004590373.tif 000012
【図１２】
0004590373.tif 000013
【図１３】
0004590373.tif 000014
【図１４】
0004590373.tif 000015
【図１５】
0004590373.tif 000016